(57)【特許請求の範囲】
【請求項１】
複数の撮影パラメータを変化させながら動画像を撮影することにより、該動画像を構成する複数の画像の各々に、該変化された撮影パラメータに応じて漸次変化を付与した画像を取得するデジタルカメラであって、
前記動画像を撮影する前に、前記複数の撮影パラメータの経時変化の端点を示すデータを一画面内に並べて表示するモニタと、
前記動画像を撮影する前に、前記複数の撮影パラメータの経時変化の端点を設定する為の入力を受け付ける入力手段と、
を有するデジタルカメラ。
【請求項２】
前記入力手段からの入力に基づいて前記撮影パラメータの経時変化が記録され、
前記デジタルカメラは、前記記録された撮影パラメータの経時変化に従って、前記動画像を撮影する
ことを特徴とする請求項１に記載のデジタルカメラ。
【請求項３】
前記記録された撮影パラメータの経時変化のデータを自動整形する撮影パラメータ整形手段をさらに有し、
前記撮影パラメータ整形手段によって整形された前記撮影パラメータの経時変化のデータが前記モニタに表示される
ことを特徴とする請求項２に記載のデジタルカメラ。
【請求項４】
前記入力手段が、前記デジタルカメラのレンズユニットのリングを含むことを特徴とする請求項２又は請求項３に記載のデジタルカメラ。
【請求項５】
前記撮影パラメータの経時変化が記録された後、前記入力手段からの入力に基づいて該記録された撮影パラメータの経時変化を変更可能であることを特徴とする請求項２から請求項４のいずれか一項に記載のデジタルカメラ。
【請求項６】
前記モニタには、前記撮影パラメータの経時変化を示す線図が表示可能であることを特徴とする請求項１から請求項５のいずれか一項に記載のデジタルカメラ。
【請求項７】
前記モニタが、前記入力手段としての機能を備えたタッチパネルモニタであることを特徴とする請求項１から請求項６のいずれか一項に記載のデジタルカメラ。
【請求項８】
前記タッチパネルモニタに表示されたスライダをドラッグすることによって、前記撮影パラメータの経時変化を設定する為の入力が行われることを特徴とする請求項７に記載のデジタルカメラ。
【請求項９】
前記撮影パラメータが、合焦距離、焦点距離、絞り値、輝度、彩度、シャッター速度及び撮像センサの感度の少なくとも一つを含むことを特徴とする請求項１から請求項８のいずれか一項に記載のデジタルカメラ。
【請求項１０】
デジタルカメラにおいて、複数の撮影パラメータを変化させながら動画像を撮影することにより、該動画像を構成する複数の画像の各々に、該変化された撮影パラメータに応じて漸次変化を付与した画像を取得する撮影方法であって、
前記動画像を撮影する前に、前記デジタルカメラに内蔵されたモニタに前記複数の撮影パラメータの経時変化の端点を示すデータを一画面内に並べて表示する経時変化端点表示ステップと、
前記動画像を撮影する前に、前記デジタルカメラに内蔵された入力手段を介して、前記モニタに表示された複数の撮影パラメータの経時変化の端点を設定する為の入力を受け付ける入力受付ステップと、
前記入力受付ステップで受け付けた入力に基づいて設定された前記複数の撮影パラメータの経時変化の端点に基づいて、動画像を撮影する撮影ステップと、
を有する、デジタルカメラの撮影方法。
【請求項１１】
前記入力受付ステップで受け付けた入力に基づいて前記撮影パラメータの経時変化を記録する撮影パラメータ記録ステップをさらに有し
前記撮影ステップは、前記撮影パラメータ記録ステップで記録された撮影パラメータの経時変化に従って、動画像を撮影する
ことを特徴とする請求項１０に記載のデジタルカメラの撮影方法。
【請求項１２】
前記記録された撮影パラメータの経時変化のデータを自動整形する撮影パラメータ整形ステップをさらに有し、
前記経時変化表示ステップは、前記撮影パラメータ整形ステップによって整形された前記撮影パラメータの経時変化のデータを前記モニタに表示させる
ことを特徴とする請求項１１に記載のデジタルカメラの撮影方法。
【請求項１３】
前記入力受付ステップは、前記撮影パラメータの経時変化が記録された後に、該記録された撮影パラメータの経時変化を変更する為の入力を受け付け、
前記入力受付ステップが受け付けた入力に基づいて、該記録された撮影パラメータの経時変化を変更する撮影パラメータ変更ステップをさらに有し、
前記撮影ステップは、該撮影パラメータ変更ステップにて変更された撮影パラメータの経時変化に基づいて、動画像を撮影する
ことを特徴とする請求項１１又は請求項１２に記載のデジタルカメラの撮影方法。
【請求項１４】
前記経時変化表示ステップは、前記撮影パラメータの経時変化のデータを線図として前記モニタに表示することを特徴とする請求項１０から請求項１３のいずれか一項に記載のデジタルカメラの撮影方法。
【請求項１５】
前記撮影パラメータが、合焦距離、焦点距離、絞り値、彩度及び撮像センサの感度の少なくとも一つを含むことを特徴とする請求項１０から請求項１４のいずれか一項に記載のデジタルカメラの撮影方法。
【請求項１６】
請求項１０から請求項１５のいずれか一項に記載のデジタルカメラの撮影方法をデジタルカメラのコントローラに実行させるデジタルカメラのプログラム。
【発明の詳細な説明】
【技術分野】
【０００１】
本発明は、動画の撮影が可能なデジタルカメラ、該デジタルカメラによる撮影方法並びに該撮影方法を実行するプログラムに関する。
【背景技術】
【０００２】
ＣＣＤ等の撮像素子の受光面上に像を結像させて映像信号を出力させ、この映像信号から画像データを得るデジタルカメラが、感光フィルム上に像を結像させる従来のカメラに代わって広く利用されている。このようなデジタルカメラの中には、動画を撮影可能なものがあり、デジタルカメラで撮影された動画は、パーソナルコンピュータ等に取り込まれ、パーソナルコンピュータ上で機能する画像処理ソフトウェアによって、様々な編集を行うことが可能となっている。そして、画像処理ソフトウェアによる編集によって、様々な視覚効果が得られる。
【０００３】
視覚効果を得るための手法としては、デジタルカメラ側の撮影方法を工夫することも考えられ、例えば、背景部分の大きさやボケ度合いを変化させるために、光学ズームとデジタルズームとを組み合わせて撮影することも提案されている（例えば、特許文献１）。
【先行技術文献】
【特許文献】
【０００４】
【特許文献１】特開２００８−２２３８６号公報
【発明の概要】
【発明が解決しようとする課題】
【０００５】
撮影された動画を編集する際、シーンの始まりや終わりの部分を、フェードインやフェードアウトなどの、所定の画像効果を加えた動画にする場合があるが、このような画像効果は、一旦動画を撮影した後にパーソナルコンピュータの画像処理ソフトウェアによって行われている。しかし、デジタルカメラのユーザが、必ずしもパーソナルコンピュータ及び画像処理ソフトウェアを有しているとは限らず、また複雑なパーソナルコンピュータ及び画像処理ソフトウェアの操作ができるとは限らないため、デジタルカメラ単体で所望の画像効果が加えられた動画を得ることが望まれている。
【０００６】
また、一般に動画にはストーリー性が要求され、経時的に変化する画像効果が求められるところ、特許文献１に記載のようなデジタルカメラでは、画像効果を経時的にコントロールできないという問題があった。
【０００７】
本発明は上記の問題に鑑みてなされたものである。すなわち、本発明は、デジタルカメラ単体で所望の画像効果が加えられた動画を得ることができ、且つ該画像効果を経時的にコントロール可能な、デジタルカメラ、デジタルカメラの撮影方法並びに該撮影方法を実行するプログラムを提供することを目的とする。
【課題を解決するための手段】
【０００８】
上記の目的を達成するため、本発明のデジタルカメラは、撮影パラメータを変化させながら動画像を撮影可能なデジタルカメラであり、動画像を撮影する前に、撮影パラメータの経時変化を示すデータを表示するモニタと、動画像を撮影する前に、撮影パラメータの経時変化を設定する為の入力を受け付ける入力手段とを有する。
【０００９】
このような構成とすると、動画を撮影する前に、モニタに表示された撮影レンズの合焦距離、焦点距離、絞り値、デジタルカメラに設定された輝度、彩度、シャッター速度、撮像センサの感度などの撮影パラメータの経時変化のデータを参照しながら、デジタルカメラの入力手段を操作して撮影パラメータの経時変化をあらかじめ設定し、ついで、動画の撮影を行うことによって、所望の画像効果が加えられた動画を得ることが可能となる。
【００１０】
また、入力手段からの入力に基づいて撮影パラメータの経時変化が記録され、デジタルカメラは、記録された撮影パラメータの経時変化に従って動画像を撮影可能である構成としてもよい。
【００１１】
この場合、記録された撮影パラメータの経時変化のデータを自動整形する撮影パラメータ整形手段をさらに有し、撮影パラメータ整形手段によって整形された撮影パラメータの経時変化のデータがモニタに表示される構成とすることが好ましい。
【００１２】
また、入力手段にデジタルカメラのレンズユニットのリングが含まれる構成としてもよい。
【００１３】
このような構成とすると、通常の撮影と同様の直感的且つ平易な操作により、撮影パラメータの経時変化を記録することができる。
【００１４】
また、撮影パラメータの経時変化が記録された後、入力手段からの入力に基づいて該記録された撮影パラメータの経時変化を変更可能である構成とすることが好ましい。
【００１５】
また、モニタには、撮影パラメータの経時変化を示す線図が表示可能である構成とすることが好ましい。
【００１６】
このような構成とすると、デジタルカメラの使用者は、動画に加える画像効果を示す撮影パラメータの経時変化を直感的に理解することができる。
【００１７】
また、モニタが、入力手段としての機能を備えたタッチパネルモニタである構成としてもよい。
【００１８】
この場合、タッチパネルモニタに表示されたスライダをドラッグすることによって、撮影パラメータの経時変化を設定する為の入力が行われる構成とすることが好ましい。
【００１９】
また、別の観点からは、上記の目的を達成するため、本発明のデジタルカメラの撮影方法は、デジタルカメラに内蔵された入力手段を介して、撮影パラメータの経時変化を設定する為の入力を受け付ける入力受付ステップと、動画像を撮影する前に、デジタルカメラに内蔵されたモニタに撮影パラメータの経時変化を示すデータを表示する経時変化表示ステップと、入力受付ステップにて入力された入力に基づいて設定された撮影パラメータの経時変化に基づいて、動画像を撮影する撮影ステップとを有する。
【発明の効果】
【００２０】
以上のように、本発明によれば、デジタルカメラ単体で所望の画像効果が加えられた動画を得ることができ、且つ該画像効果を経時的にコントロール可能な、デジタルカメラ、デジタルカメラの撮影方法並びに該撮影方法を実行するプログラムが実現される。
【図面の簡単な説明】
【００２１】
【図１】図１は、本発明の実施の形態のデジタルカメラのブロック図である。
【図２】図２は、本発明の実施の形態のデジタルカメラのタッチパネルモニタに表示されるアクション選択画面である。
【図３】図３は、本発明の実施の形態のデジタルカメラのタッチパネルモニタに表示されるプリセットアクション選択画面である。
【図４】図４は、本発明の実施の形態のデジタルカメラのタッチパネルモニタに表示される、「フェードイン」プリセットアクションが実行された状態での動画の一例を示したものである。
【図５】図５は、本発明の実施の形態のデジタルカメラのタッチパネルモニタに表示される、「フォーカスイン」プリセットアクションが実行された状態での動画の一例を示したものである。
【図６】図６は、本発明の実施の形態のデジタルカメラのタッチパネルモニタに表示される、「デプスプラス」プリセットアクションが実行された状態での動画の一例を示したものである。
【図７】図７は、本発明の実施の形態のデジタルカメラのタッチパネルモニタに表示される端点設定画面（１）である。
【図８】図８は、本発明の実施の形態のデジタルカメラのタッチパネルモニタに表示される端点設定画面（２）である。
【図９】図９は、本発明の実施の形態のデジタルカメラのタッチパネルモニタに表示される動作設定画面（１）である。
【図１０】図１０は、本発明の実施の形態のデジタルカメラのタッチパネルモニタに表示される動作設定画面（１）である。
【図１１】図１１は、本発明の実施の形態のデジタルカメラのタッチパネルモニタに表示される動作設定画面（２）である。
【図１２】図１２は、本発明の実施の形態のデジタルカメラのコントローラによって実行されるプリセットアクション選択ルーチンのフローチャートである。
【図１３】図１３は、本発明の実施の形態のデジタルカメラのコントローラによって実行されるカスタムアクション設定ルーチン（１）のフローチャートである。
【図１４】図１４は、本発明の実施の形態のデジタルカメラのコントローラによって実行されるカスタムアクション設定ルーチン（２）のフローチャートである。
【図１５】図１５は、本発明の実施の形態のデジタルカメラのコントローラによって実行されるカスタムアクション設定ルーチン（３）のフローチャートである。
【図１６】図１６は、本発明の実施の形態のデジタルカメラのコントローラによって実行されるカスタムアクション設定ルーチン（４）のフローチャートである。
【発明を実施するための形態】
【００２２】
以下、本発明の実施の形態について、図面を用いて説明する。図１は、本実施形態のデジタルカメラ１のブロック図である。本実施形態のデジタルカメラ１は、カメラ本体１００と、レンズユニット２００とを有する。
【００２３】
カメラ本体１００は、コントローラ１１１、撮像センサ１２１、電源スイッチ１３１、レリーズスイッチ１３２、設定スイッチ１３３、タッチパネルモニタ１４１及びメモリカードアダプタ１５１を有する。コントローラ１１１、撮像センサ１２１及びメモリカードアダプタ１５１は、カメラ本体１００のケース１０１に内蔵されている。また、電源スイッチ１３１、レリーズスイッチ１３２、設定スイッチ１３３及びタッチパネルモニタ１４１は、ケース１０１の外側に露出している。
【００２４】
カメラ本体１００のケース１０１には、メモリカードスロット１０２が内蔵されており、メモリカードスロット１０２にメモリカードＭを差し込んでメモリカードＭをメモリカードアダプタ１５１に接続させることができる。メモリカードアダプタ１５１にメモリカードＭが接続された状態では、コントローラ１１１は、メモリカードＭにアクセスして撮影した画像データ等をメモリカードＭに記憶させることができる。
【００２５】
また、カメラ本体１００のケース１０１の、撮像センサ１２１の近傍には、レンズユニット２００を取り付けるための開口１０３が設けられている。開口１０３にレンズユニット２００が取り付けられた状態では、レンズユニット２００による像が、撮像センサ１２１の受光面上で結像する。撮像センサ１２１は、受光面上に結像した像に対応する映像信号を、コントローラ１１１に送信している。コントローラ１１１は、撮像センサ１２１から送られる映像信号を処理して所定の形式のビデオ信号を生成し、これをタッチパネルモニタ１４１に送信する。撮像センサ１２１は、通常（レリーズスイッチ１３２が押されていない状態）、周期的（例えば１／６０秒おき）に１フレーム分の映像信号を出力しており、コントローラ１１１は受信した映像信号を逐次処理している。このため、タッチパネルモニタ１４１には、レンズユニット２００が撮影した画像が動画として表示される。デジタルカメラ１の使用者は、タッチパネルモニタ１４１に表示される動画を確認しながら、撮影を行うことができる。
【００２６】
図１に示されるように、電源スイッチ１３１、レリーズスイッチ１３２及び設定スイッチ１３３は、コントローラ１１１に接続されており、各スイッチが操作されるとコントローラ１１１は各スイッチに割り当てられている各機能を実行するように構成されている。
【００２７】
電源スイッチ１３１は、撮影モードとスタンバイモードとを切り替える為のスイッチである。スタンバイモード時は、コントローラ１１１は、撮像センサ１２１、タッチパネルモニタ１４１、メモリカードアダプタ１５１及びレンズユニット２００のモータ（後述）への電力供給を停止し、且つコントローラ１１１自身も省電力モードで動作するようになる。この結果、デジタルカメラ１の消費電力量は極めて小さい状態に保たれる。スタンバイモード時に電源スイッチ１３１が押されると、コントローラ１１１は省電力モードから通常モードに移行すると共に、撮像センサ１２１、タッチパネルモニタ１４１、メモリカードアダプタ１５１及びレンズユニット２００のモータへの電力供給を再開する（撮影モードとなる）。
【００２８】
撮影モード時に設定スイッチ１３３が押されると、タッチパネルモニタ１４１にメニュー画面が表示される。デジタルカメラ１の使用者は、タッチパネルモニタ１４１に表示されるメニュー画面を操作することによって、各種設定を行うことができる。例えば、静止画の撮影を行うか動画の撮影を行うかを選択することができる。
【００２９】
撮影モード時であって静止画の撮影が選択されている場合、レリーズスイッチ１３２が押されると、撮像センサ１２１は、撮像センサ１２１の受光面上に結像した像を１フレーム分の高画質の映像信号として出力する。そして、コントローラ１１１は、撮像センサ１２１から出力された高画質の映像信号を処理して得られる静止画データを、タッチパネルモニタ１４１に静止画像として表示すると共にメモリカードＭに記憶させる。
【００３０】
一方、撮影モード時であって動画の撮影が選択されている場合、レリーズスイッチ１３２が押されると、コントローラ１１１は、撮像センサ１２１から出力された映像信号を逐次処理して得られる動画データを、タッチパネルモニタ１４１に動画像として表示すると共にメモリカードＭに記憶させる。なお、動画撮影は、もう一度レリーズスイッチ１３２を押すか、あらかじめ設定された時間が経過した時に終了するようになっている。
【００３１】
レンズユニット２００の鏡筒２０１には、焦点位置調節リング２１１、ズーム調節リング２１２及び絞り調節リング２１３が設けられている。デジタルカメラ１の使用者は、焦点位置調節リング２１１、ズーム調節リング２１２及び絞り調節リング２１３を回転させることによって、焦点距離、ズーム及び絞り値の調整を行うことができる。
【００３２】
また、レンズユニット２００には、焦点位置調節リング２１１、ズーム調節リング２１２及び絞り調節リング２１３の夫々を駆動する第１、第２及び第３のステッピングモータ２２１、２２２及び２２３が内蔵されている。カメラ本体１００のコントローラ１１１は、上記第１、第２及び第３のステッピングモータ２２１、２２２及び２２３を制御することによって、焦点距離、ズーム及び絞り値の調整を行うことができる。また、焦点位置調節リング２１１、ズーム調節リング２１２及び絞り調節リング２１３には、ロータリーエンコーダ（不図示）が内蔵されており、カメラ本体１００のコントローラ１１１は、各ロータリーエンコーダの出力から、焦点位置調節リング２１１、ズーム調節リング２１２及び絞り調節リング２１３の回転角度、すなわちレンズユニット２００の焦点位置（合焦距離）、ズーム及び絞り値を検出することができる。
【００３３】
本実施形態のデジタルカメラ１は、動画撮影時にフェードイン・フェードアウト等の画像効果を加えることが可能である（アクション機能）。以下、本実施形態のデジタルカメラ１のアクション機能について説明する。なお、当該アクション機能は、カメラ本体のコントローラ１１１が、下記の処理をプログラムとして実行することによって実現される。
【００３４】
アクション機能を有効にする、或いはアクション機能の詳細設定を行う場合は、設定スイッチ１３３を操作して、メニュー画面をタッチパネルモニタ１４１に表示させ、メニュー画面を操作することによって行われる。
【００３５】
図２は、アクション機能を有効にして動画の撮影を行う際にタッチパネルモニタ１４１に表示されるアクション選択画面である。図２に示されるように、アクション選択画面には、「プリセットアクション」及び「カスタムアクション」と記載されたアクション選択ボタンＢ１１及びＢ１２が表示されている。「プリセットアクション」は、予めデジタルカメラ１に設定されている定型のアクション条件（撮影条件）に従って撮影するモードであり、「カスタムアクション」は、ユーザによって設定されたアクション条件に従って撮影するモードである。
【００３６】
タッチパネル操作によりアクション選択ボタンＢ１１が選択されると、タッチパネルモニタ１４１には、図３に示されるプリセットアクション選択画面が表示される。プリセットアクション選択画面には、図３に示されるように、「フェードイン」、「フェードアウト」、「フォーカスイン」、「フォーカスアウト」、「カラーイン」、「カラーアウト」、「デプスプラス」、「デプスマイナス」と記載されたプリセットアクションボタンＢ２１ａ、Ｂ２１ｂ、Ｂ２２ａ、Ｂ２２ｂ、Ｂ２３ａ、Ｂ２３ｂ、Ｂ２４ａ及びＢ２４ｂ、並びに「カスタム」と記載されたカスタムアクションボタンＢ２５、及び完了ボタンＢ２６が表示される。タッチパネル操作によりプリセットアクションボタンＢ２１ａ〜Ｂ２４ｂのいずれかを選択し、ついで、完了ボタンＢ２９を操作すると、プリセットアクション選択画面で選択されたプリセットアクションが登録される。そして、レリーズスイッチ１３２が押された時に、登録されたプリセットアクションで撮影が実行される。また、タッチパネル操作によりプリセットアクションボタンＢ２１ａ〜Ｂ２４ｂのいずれかを選択し、ついで、カスタムアクションボタンＢ２５を操作すると、選択されたプリセットアクションのアクション条件を一時的に変更した上で撮影を実行することができる（後述）。
【００３７】
以下、各プリセットアクションの詳細について説明する。図４は、「フェードイン」プリセットアクションが実行された場合の動画の一例を示したものである。なお、図４に表示されている６枚の画像は、「フェードイン」プリセットアクションを実行することによって得られた動画から抽出したものであり、上側に示された画像の状態から下側に示された画像の状態へと徐々に移行していくことを示している。図４に示されるように、「フェードイン」プリセットアクションが実行されると、撮影される動画は、時間が経過するにつれて徐々に明るくなる。具体的には、「フェードイン」プリセットアクションが実行されると、コントローラ１１１は、予めデジタルカメラ１に設定されている絞り値と時間との関係に基づいて、第３のステッピングモータ２２３を駆動して絞り調節リング２１３の絞りの開度を徐々に大きくしながら撮影を行う。なお、他の実施形態として、コントローラ１１１は、撮像センサ１２１の感度を徐々に高くする制御を行って、画像全体を徐々に明るくしながら撮影を行う。或いは、コントローラ１１１は、予めデジタルカメラ１に設定されているシャッター速度と時間との関係に基づいて、シャッター速度を徐々に遅くしながら撮影を行う（シャッター開となっている時間を長くする）、或いは、コントローラ１１１による画像処理によって、徐々に画像の輝度値を上げながら撮影することも可能である。またこれらを適宜併用しても良い。「フェードアウト」プリセットアクションは、「フェードイン」プリセットアクションとは逆に、撮影される動画の明るさを徐々に暗くするものである。なお、「フェードイン」処理が行われる時間（すなわち、画像が最も暗い状態から最も明るい状態に移行するまでに必要な時間）は固定されている。「フェードアウト」処理についても同様である。
【００３８】
図５は、「フォーカスイン」プリセットアクションが実行された場合の動画を示したものである。なお、図５に表示されている６枚の画像は、「フォーカスイン」プリセットアクションを実行することによって得られた動画から抽出したものであり、上側に示された画像の状態から下側に示された画像の状態へと徐々に移行していくことを示している。図５に示されるように、「フォーカスイン」プリセットアクションが実行されると、撮影される動画は、最初は所定の距離の被写体像（主要被写体）にピントがあっていない状態（撮影画面中のどこにもピントがあっていない状態も含む）であり、時間が経過するにつれ徐々に主要被写体にピントがあった状態へと移行する。「フォーカスイン」プリセットアクションは、コントローラ１１１が第１のステッピングモータ２２１を駆動することによって実現される。具体的には、まず、動画像の撮影（記録）を行うことなく第１のステッピングモータ２２１を駆動し、主要被写体の像のコントラスト値が最大となった状態をピントがあった状態と判断し、その時の焦点位置調節リング２１１の位置を記録する。次に、主要被写体にピントがあっていない状態となるように、第１のステッピングモータ２２１によって焦点位置調節リング２１１を十分に移動させ、動画像の撮影を開始する。そして、動画像を撮影しながら上記記録した位置に徐々に近づくよう、第１のステッピングモータ２２１が駆動される。また、「フォーカスアウト」プリセットアクションは、「フォーカスイン」プリセットアクションとは逆に、主要被写体にピントがあった状態からピントがあっていない状態に徐々に移行するものである。なお、「フォーカスイン」処理が行われる時間（すなわち、ピントがあっていない状態からピントがあった状態に移行するまでに必要な時間）は固定されている。「フォーカスアウト」処理についても同様である。
【００３９】
「カラーイン」プリセットアクションは、白黒の状態から徐々にカラーの画像へと移行するアクションである。このアクションは、コントローラ１１１の画像処理によって、画像の彩度を最低の状態（白黒画像となる）から徐々に上昇させることによって実現される。なお、「カラーアウト」プリセットアクションは、「カラーイン」プリセットアクションとは逆に、カラー画像から白黒画像に徐々に移行するものである。なお、「カラーイン」処理が行われる時間（すなわち、彩度が最小の状態から最大の状態に移行するまでに必要な時間）は固定されている。「カラーアウト」処理についても同様である。
【００４０】
図６は、「デプスプラス」プリセットアクションが実行された状態での動画を示したものである。なお、図６に表示されている６枚の画像は、「デプスプラス」プリセットアクションを実行することによって得られた動画から抽出したものであり、上側に示された画像の状態から下側に示された画像の状態へと徐々に移行していくことを示している。図６に示されるように、「デプスプラス」プリセットアクションが実行されると、撮影される動画は、最初は被写界深度が浅い状態であり、時間が経過するにつれ徐々に被写界深度が深い状態へと移行する。「デプスプラス」プリセットアクションは、第３のステッピングモータ２２３を駆動して絞り調節リング２１３の絞りの開度を徐々に小さくすると共に、撮像センサ１２１の感度を徐々に上昇させる（画像処理により受光された信号を増幅する）ことによって実現される。なお、撮像センサ１２１の感度を上昇させる代わりに、画像処理によって画像の輝度値を徐々に上げる、或いはシャッター速度を徐々に遅くする、またはこれらを併用することによっても、同等の効果が得られる。なお、「デプスマイナス」プリセットアクションは、「デプスプラス」プリセットアクションとは逆に、被写界深度の深い状態から被写界深度の浅い状態に徐々に移行するものである。なお、「デプスプラス」処理が行われる時間（すなわち、被写体深度が最も浅い状態から最も深い状態に移行するまでに必要な時間）は固定されている。「デプスマイナス」処理についても同様である。
【００４１】
また、図２のアクション選択画面において、タッチパネル操作によりカスタムアクション選択ボタンＢ１２が選択されると、タッチパネルモニタ１４１には、図７に示される端点設定画面（１）が表示される。
【００４２】
図７に示されるように、端点設定画面（１）には、アクションを開始時の初期状態（ＢＥＦＯＲＥ）及びアクションを終了時の最終状態（ＡＦＴＥＲ）の合焦距離（ＦＯＣＵＳ）、ズーム（ＺＯＯＭ）、絞り値（Ａｖ．）、撮像センサ１２１の感度及び彩度を設定するためのスライダＬＢ及びＬＡが表示される。なお、合焦距離、ズーム及び絞り値を設定する為のスライダＬＢ及びＬＡは、レンズユニット２００の焦点位置調節リング２１１、ズーム調節リング２１２及び絞り調節リング２１３を模したデザインとなっている。カスタムアクション設定画面にて、タッチパネルを操作する（例えば、タッチパネルモニタ１４１に表示されているスライダＬＢ又はＬＡをドラッグする）ことによって、初期状態（ＢＥＦＯＲＥ）及び最終状態（ＡＦＴＥＲ）の焦点距離、ズーム、絞り値、撮像センサ１２１の感度及び彩度を設定することができる。なお、端点設定画面（１）においては、スライダＬＢとＬＡの双方が編集可能であることを示すため、スライダＬＢ及びＬＡは夫々枠ＦＢ及びＦＡに囲まれている。
【００４３】
また、端点設定画面（１）には、アクション機能の実行時間を設定するためのプルダウンメニューＰ３４が表示されている。デジタルカメラ１の使用者は、このプルダウンメニューＰ３４を操作して、アクションが実行される時間（秒数）を指定することができる。
【００４４】
なお、端点設定画面（１）は、図３のプリセットアクション選択画面において、タッチパネル操作によりプリセットアクションボタンＢ２１ａ〜Ｂ２４ｂのいずれかを選択し、ついで、カスタムアクションボタンＢ２５を操作した時にも呼び出されるようになっている。この場合、合焦距離、ズーム、絞り値、撮像センサ１２１の感度及び彩度の初期状態及び最終状態の表示内容は、選択されたプリセットアクションにおける各撮影パラメータの初期状態及び最終状態での値に設定される。
【００４５】
図３におけるプリセットアクションボタンＢ２２ａに対応する「フォーカスイン」処理は、撮影直前に主要被写体までの距離（合焦距離）を検出（オートフォーカス動作）し、この合焦距離から十分離れた距離設定を初期状態、合焦距離設定を最終状態とするものである。同様に、図３におけるプリセットアクションボタンＢ２２ｂに対応する「フォーカスアウト」処理は、撮影直前に主要被写体までの距離を検出し、この合焦距離設定を初期状態、合焦距離から十分離れた距離設定を最終状態とするものである。このため、プリセットアクションボタンＢ２２ａ及びＢ２２ｂを選択した後にカスタムアクションボタンＢ２５を操作した場合は、まずオートフォーカス動作によって主要被写体までの距離が検出される。そして、プリセットアクションボタンＢ２２ａが選択されている場合には、検出された主要被写体までの距離が最終状態（スライダＬＡ）に設定され、初期状態（スライダＬＢ）には、無限遠または最短撮影距離が自動的に設定される。一方、プリセットアクションボタンＢ２２ｂが選択されている場合には、検出された主要被写体までの距離が初期状態（スライダＬＢ）に設定され、最終状態（スライダＬＡ）には、無限遠または最短撮影距離が自動的に設定される。その後、カメラの光学ファインダー（不図示）を見ながらプリセットアクションボタンＢ２２ａの場合にはスライダＬＡを、プリセットアクションボタンＢ２２ｂの場合にはスライダＬＢをドラッグ操作（または焦点位置調節リング２１１を回転調整）して最終状態又は初期状態の値を調節することができるように構成されている。
【００４６】
また、図３のプリセットアクション選択画面において、タッチパネル操作によりプリセットアクションボタンＢ２１ａ〜Ｂ２４ｂのいずれかを選択し、ついで、カスタムアクションボタンＢ２５を操作した場合、プルダウンメニューＰ３４に指定されている時間の初期値は、選択されたプリセットアクションの実行時間となる。
【００４７】
そして、この状態からスライダＬＢ及びＬＡ、並びにプルダウンメニューＰ３４を操作することによって、選択されたプリセットアクションと、各撮影パラメータの相対的な経時変化（すなわち、後述するグラフＧの形状）を変えることなく、その初期状態及び最終状態の値、並びに実行時間を変化させるものである。例えば、プリセットアクションにおけるある撮影パラメータの経時変化が関数ｐ（ｔ）で示される場合、スライダＬＢ及びＬＡ、並びにプルダウンメニューＰ３４を操作することによって変化した撮影パラメータの経時変化を示す関数ｐ´（ｔ）は、下記の数１に基づいて算出される。
【００４８】
【数１】
0005598759.tif 000002
【００４９】
なお、上記の数１において、ＰＢはスライダＬＢにて指定された撮影パラメータの初期状態の値、ＰＡはスライダＬＡにて指定された撮影パラメータの初期状態の値、Ｔは選択されたプリセットアクションの実行時間、Ｔ´はプルダウンメニューＰ３４にて設定されたアクションの実行時間である。
【００５０】
図７に示されるように、端点設定画面（１）には、手動操作ボタンＢ３１、画面切り替えボタンＢ３２及び完了ボタンＢ３３が表示されている。
【００５１】
図７の端点設定画面（１）において、タッチパネル操作により手動操作ボタンＢ３１が操作されると、タッチパネルモニタ１４１には、図８に示される端点設定画面（２）が表示される。端点設定画面（２）の画面構成は、図７の端点設定画面（１）と略同じであり、初期状態及び最終状態の焦点距離、ズーム、絞り値、撮像センサ１２１の感度及び彩度を示すスライダＬＢ及びＬＡが表示されているが、手動操作ボタンＢ３１、画面切り替えボタンＢ３２及び完了ボタンＢ３３は表示されておらず、代わりに停止ボタンＢ３５が表示されている。また、端点設定画面（２）においては、スライダＬＢを操作することはできず、スライダＬＡについても、焦点距離、ズーム、絞り値は操作できないようになっている。端点設定画面（２）においては、初期状態（ＢＥＦＯＲＥ）の焦点距離、ズーム、絞り値、撮像センサ１２１の感度及び彩度は、端点設定画面（１）において手動操作ボタンＢ３１が操作された時点での設定値に固定されている。
【００５２】
端点設定画面（２）では、レンズユニット２００の焦点位置調節リング２１１、ズーム調節リング２１２及び絞り調節リング２１３、並びにタッチパネルモニタ１４１上に表示されているスライダＬＡを操作して、アクション実行時の焦点距離、ズーム、絞り値、撮像センサ１２１の感度及び彩度の変動を記録する。上記記録の完了は、端点設定画面（２）に表示されている停止ボタンＢ３５を操作することによって行われる。停止ボタンＢ３５が操作されて、アクション実行時の焦点距離、ズーム、絞り値、撮像センサ１２１の感度及び彩度の変動の記録が完了すると、タッチパネルモニタ１４１には、図７の端点設定画面（１）が再び表示される。なお、端点設定画面（２）では、初期状態のズーム、絞り値、撮像センサ１２１の感度及び彩度が設定できないことを明確に示すため、枠ＦＢは表示されておらず、枠ＦＡも、スライダＬＡのうち撮像センサ１２１の感度及び彩度を調整するためのスライダのみを覆っている。なお、端点設定画面（２）における、操作パラメータの初期状態の値は、図７の端点設定画面（１）にてスライダＬＢを操作することによって設定された値がそのまま使用される。
【００５３】
図７の端点設定画面（１）にて、画面切り替えボタンＢ３２が操作されると、タッチパネルモニタ１４１には、図９又は図１０に示される動作設定画面（１）が表示される。
【００５４】
図９及び図１０に示されるように、動作設定画面（１）には、アクション実行時における焦点距離、ズーム、絞り値、撮像センサ１２１の感度及び彩度といった撮影パラメータの経時変動を示すグラフＧが表示されている。このグラフＧは、端点設定画面（１）又は（２）、或いは後述する動作設定画面（２）で設定されたグラフである。端点設定画面（１）で焦点距離、ズーム、絞り値、撮像センサ１２１の感度及び彩度の初期値及び最終値を設定した後に動作設定画面（１）を表示させた場合は、図９のように、焦点距離、ズーム、絞り値、撮像センサ１２１の感度及び彩度の各項目につきアクション実行時の各項目の値の変動を示す線が一本ずつ表示される。一方、端点設定画面（２）又は動作設定画面（２）で焦点距離、ズーム、絞り値、撮像センサ１２１の感度及び彩度の変動を記録した場合は、図１０に示されるように各項目に付き変動を示す線が二つずつ表示される。線の一方は、端点設定画面（２）又は動作設定画面（２）で記録されたものであり、線の他方は、上記記録された線を理想化（後述）したものである。
【００５５】
図９の動作設定画面（１）には、端点設定画面（１）で設定された焦点距離、ズーム、絞り値、撮像センサ１２１の感度及び彩度の経時変動を示すグラフＧが表示されている。前述のように、端点設定画面（１）は、焦点距離、ズーム、絞り値、撮像センサ１２１の感度及び彩度の初期値と最終値を設定するものであるため、端点設定画面（１）がアクション選択画面（図２）のカスタムアクション選択ボタンＢ１２を操作することによって呼び出されたものである場合は、動作設定画面（１）に表示されるグラフＧは、初期値から最終値まで線形的に変化するものとなっている。一方、端点設定画面（１）がプリセットアクション選択画面（図３）から呼び出されたものである場合は、動作設定画面（１）に表示されるグラフＧは、上記数１にて演算された関数ｐ´（ｔ）に対応するグラフとなる。
【００５６】
図９の動作設定画面（１）では、タッチパネルモニタ１４１の操作によって、焦点距離、ズーム、絞り値、撮像センサ１２１の感度及び彩度の夫々について、初期値から変動を始める時間と、最終値に達する時間を設定することができる。具体的には、動作設定画面（１）に表示されているグラフＧにおいて、各値が初期値から変動を始める又は最終値に達する部分に指ｆを置き（図中実線部）、そのまま時間軸方向にドラッグすることによって、初期値から変動を始める時間又は最終値に達する時間を移動させる（図中破線部）ことができる。
【００５７】
図１０の動作設定画面（１）には、端点設定画面（２）又は動作設定画面（２）で記録された焦点距離、ズーム、絞り値、撮像センサ１２１の感度及び彩度の撮影パラメータの経時変動を示す線（図中一点鎖線部）と、上記記録された変動を理想化した線（図中実線部）が表示されたグラフＧが配置されている。なお、図１０においては、記録された値の変動を一点鎖線、理想化した値の変動を実線で示しているが、実際は、両者は色違いの実線である。なお、本実施形態における「理想化」とは、記録された値をスムージング処理し、「線形的に値が増加する」「線形的に値が減少する」及び「値が変動しない」という三種類の線の組合せで近似する整形を行ったものである。
【００５８】
図１０の動作設定画面（１）では、図９の動作設定画面（１）と同様のタッチパネルモニタ１４１の操作によって、理想化した値における焦点距離、ズーム、絞り値、撮像センサ１２１の感度及び彩度の夫々の変動を調整可能となっている。具体的には、動作設定画面（１）に表示されている理想化された値の線において、値が不連続となっている点（すなわち、値が変動しない領域と値が線形的に変動している領域の境界）ｐに指ｆを置き（図中実線部）、そのまま時間軸方向にドラッグすることによって、点ｐを時間軸方向に移動させ、理想化された値の変動の線の形状を調整することかできる。
【００５９】
また、図９及び図１０に示されるように、動作設定画面（１）には、手動操作ボタンＢ４１、画面切り替えボタンＢ４２及び完了ボタンＢ４３が表示されている。
【００６０】
図９又は図１０の動作設定画面（１）において、タッチパネル操作により手動操作ボタンＢ４１が操作されると、タッチパネルモニタ１４１には、図１１に示される動作設定画面（２）が表示される。動作設定画面（２）の画面構成は、図９又は図１０の動作設定画面（１）と略同じであるが、手動操作ボタンＢ４１、画面切り替えボタンＢ４２及び完了ボタンＢ４３は表示されておらず、代わりに停止ボタンＢ５１が表示されている。また、動作設定画面（２）には、撮像センサ１２１の感度及び彩度を変更するためのスライダＬ５２及びＬ５３が表示されている。また、動作設定画面（２）においては、初期状態（ＢＥＦＯＲＥ）の焦点距離、ズーム、絞り値、撮像センサ１２１の感度及び彩度は、動作設定画面（１）において手動操作ボタンＢ２１が操作された時点での設定値に固定されている。
【００６１】
動作設定画面（２）では、レンズユニット２００の焦点位置調節リング２１１、ズーム調節リング２１２及び絞り調節リング２１３、並びにタッチパネルモニタ１４１上に表示されているスライダＬ５２及びＬ５３を操作して、アクション実行時の焦点距離、ズーム、絞り値、撮像センサ１２１の感度及び彩度の変動を記録する。上記記録の完了は、端点設定画面（２）に表示されている停止ボタンＢ５１を操作することによって行われる。また、図１０に示されるように、アクション実行時の焦点距離、ズーム、絞り値、撮像センサ１２１の感度及び彩度の変動の記録中は、上記値の変動がグラフとして表示される。停止ボタンＢ５１が操作されて、アクション実行時の焦点距離、ズーム、絞り値、撮像センサ１２１の感度及び彩度の変動の記録が完了すると、コントローラ１１１はグラフの理想化を行い、タッチパネルモニタ１４１に図１０の動作設定画面（１）を表示させる。
【００６２】
図９又は図１０の動作設定画面（１）にて、画面切り替えボタンＢ４２が操作されると、タッチパネルモニタ１４１には、図７に示される端点設定画面（１）が表示される。
【００６３】
また、図７の端点設定画面（１）中の完了ボタンＢ３３、或いは図９又は図１０の完了ボタンＢ４３が操作され、次いでカメラのレリーズスイッチ１３２（図１）が押されると、設定された通りに焦点距離、ズーム、絞り値、撮像センサ１２１の感度及び彩度が変動しながら、動画の撮影が行われる。なお、図１１の動作設定画面（２）にて上記値の変動の設定が行われた場合、動画の撮影が始まる前に、記録された値の変動（図１０中一点鎖線部）に従うか、理想化された値の変動（図１０中実線部）に従うかを選択可能な構成としてもよい。
【００６４】
以上説明した本実施形態のデジタルカメラ１の動作フローを、コントローラ１１１が実行するルーチンのフローチャートを参照して説明する。図１２は、図２のアクション選択画面において、プリセットアクションを実行するためのアクション選択ボタンＢ１１が操作された時に実行される、プリセットアクション選択ルーチンのフローチャートである。
【００６５】
本ルーチンが開始すると、ステップＳ１が実行される。ステップＳ１では、コントローラ１１１は、タッチパネルモニタ１４１に図３のプリセットアクション選択画面を表示させる。次いで、ステップＳ２に進む。
【００６６】
ステップＳ２では、デジタルカメラ１の操作者からの、タッチパネルモニタ１４１の入力操作を受け付ける。
【００６７】
ステップＳ２にて入力された操作がプリセットアクションボタンＢ２１ａ〜Ｂ２４ｂのいずれかを操作するものであった場合は（Ｓ２：プリセットアクションボタン）、ステップＳ３に進む。
【００６８】
ステップＳ３では、コントローラ１１１は、操作されたプリセットアクションボタンＢ２１ａ〜Ｂ２４ｂに応じた撮影パラメータ（焦点距離、ズーム、絞り値、撮像センサ１２１の感度及び彩度）の経時変化データを内蔵する不図示のストレージ（フラッシュメモリ等）から読み出して、これをコントローラ１１１のメモリに保存する。次いで、ステップＳ２に戻る。
【００６９】
また、ステップＳ２にて入力された操作が完了ボタンＢ２６を操作するものであった場合は（Ｓ２：完了ボタン）、ステップＳ４に進む。
【００７０】
ステップＳ４では、コントローラ１１１は、撮影パラメータの経時変化データがメモリに記憶されているかどうかのチェックを行う。メモリに経時変化データが記憶されていない場合は（Ｓ４：ＮＯ）、プリセットアクションボタンＢ２１ａ〜Ｂ２４ｂがまだ選択されていないということを意味するため、ステップＳ２に戻り、タッチパネルモニタ１４１の入力操作を再度受け付ける。一方、ステップＳ４において、コントローラ１１１のメモリに経時変化データが記憶されていることが確認された場合は（Ｓ４：ＹＥＳ）、ステップＳ５に進む。
【００７１】
ステップＳ５では、上記経時変化データに基づいて撮影を行うための撮影画面の呼出ルーチンの実行指示を行った上で、本ルーチンを終了する。ステップＳ５を経て本ルーチンが終了した場合は、引き続いて上記撮影画面が表示されることになり、レリーズスイッチ１３２を押下することにより、上記経時変化データに基づいた撮影が開始される。なお、本実施形態では上記経時変化データに基づいてプリセットアクションの撮影が完了すると、コントローラ１１１のメモリに記憶された経時変化データは消去されるようになっているが、経時変化データを保持し、同一の経時変化データで繰り返し撮影可能に構成することも可能である。その場合には、例えば、プリセットアクションの撮影を終了するためのボタンを上記撮影画面中に表示する。
【００７２】
ステップＳ２にて入力された操作がカスタムアクションボタンＢ２５を操作するものであった場合は（Ｓ２：カスタムアクションボタン）、ステップＳ６に進む。ステップＳ６では、コントローラ１１１は、撮影パラメータの経時変化データがメモリに記憶されているかどうかのチェックを行う。メモリに経時変化データが記憶されていない場合は（Ｓ６：ＮＯ）、プリセットアクションボタンＢ２１ａ〜Ｂ２４ｂがまだ選択されていないということを意味するため、ステップＳ２に戻り、タッチパネルモニタ１４１の入力操作を再度受け付ける。一方、ステップＳ６において、コントローラ１１１のメモリに経時変化データが記憶されていることが確認された場合は（Ｓ６：ＹＥＳ）、ステップＳ７に進む。
【００７３】
ステップＳ７では、図７の端点設定画面（１）の呼出ルーチンの実行指示を行った上で、本ルーチンを終了する。ステップＳ７を経て本ルーチンが終了した場合は、後述のカスタムアクション設定ルーチン（１）が引き続いて実行される。
【００７４】
次に、カスタムアクション設定ルーチン（１）について説明する。図１３は、カスタムアクション設定ルーチン（１）のフローチャートである。本ルーチンは、図２のアクション選択画面においてカスタムアクションを実行するためのアクション選択ボタンＢ１２が操作されるか、図１２のプリセットアクション選択ルーチンがステップＳ７を経て終了する（すなわち、図３のプリセットアクション選択画面において、プリセットアクション選択ボタンＢ２１ａ〜Ｂ２４ｂが操作された後にカスタムアクションボタンＢ２５が操作される）か、後述する図１４のカスタムアクション設定ルーチン（２）が実行された後に、デジタルカメラ１のコントローラ１１１によって実行されるようになっている。
【００７５】
本ルーチンが開始すると、ステップＳ１１が実行される。ステップＳ１１では、コントローラ１１１は、タッチパネルモニタ１４１に図７の端点設定画面（１）が表示される。次いで、ステップＳ１２に進む。
【００７６】
ステップＳ１２では、コントローラ１１１は、内蔵するメモリに操作パラメータの経時変化データが記憶されているかの確認が行われる。経時変化データが記憶されているのであれば（Ｓ１２：ＹＥＳ）、ステップＳ１５に進む。また、経時変化データが記憶されていないのであれば（Ｓ１２：ＮＯ）、ステップＳ１４に進む。
【００７７】
ステップＳ１４では、経時変化データを生成する。具体的には、あらかじめ設定されている操作パラメータの初期状態及び最終状態の値、及びアクションが実行される時間の値に基づいて、図９に実線で示されるような、初期状態の操作パラメータの値と最終状態の操作パラメータの値とを直線的に結ぶような経時変化データを生成し、コントローラ１１１のメモリに記憶させる。次いで、ステップＳ１５に進む。
【００７８】
ステップＳ１５では、デジタルカメラ１の操作者からの、タッチパネルモニタ１４１の入力操作を受け付ける。
【００７９】
ステップＳ１５にて入力された操作がスライダＬＢ、ＬＡ或いはプルダウンメニューＰ３４を操作するものであった場合は（Ｓ１５：スライダ又はメニュー）、ステップＳ１６に進む。
【００８０】
ステップＳ１６は、コントローラ１１１のメモリに記憶されている経時変化データを、上記数１に基づいて変更する。次いで、ステップＳ１５に戻る。
【００８１】
また、ステップＳ１５にて入力された操作が手動操作ボタンＢ３１を操作するものであった場合は（Ｓ１５：手動操作ボタン）、ステップＳ１８に進む。
【００８２】
ステップＳ１８では、スライダＬＢにて設定された操作パラメータの初期状態の値をコントローラ１１１のメモリに上書き記憶する。さらに、コントローラ１１１は、端点設定画面（２）の呼出ルーチンの実行指示を行った上で、本ルーチンを終了する。ステップＳ１８を経て本ルーチンが終了した場合は、後述のカスタムアクション設定ルーチン（２）が引き続いて実行される。
【００８３】
また、ステップＳ１５にて入力された操作が、完了ボタンＢ３３を操作するものであった場合は（Ｓ１５：完了ボタン）、ステップＳ１９に進む。
【００８４】
ステップＳ１９では、上記経時変化データに基づいて撮影を行うための撮影画面の呼出ルーチンの実行指示を行った上で、本ルーチンを終了する。ステップＳ１９を経て本ルーチンが終了した場合は、引き続いて上記撮影画面が表示されることになり、レリーズスイッチ１３２を押下することにより、上記経時変化データに基づいた撮影が開始される。なお、本実施形態においては、上記経時変化データに基づいてプリセットアクションの撮影が完了すると、コントローラ１１１のメモリに記憶された経時変化データは消去されるようになっているが、経時変化データを保持し、同一の経時変化データで繰り返し撮影可能に構成することも可能である。その場合には、例えば、プリセットアクションの撮影を終了するためのボタンを上記撮影画面中に表示する。
【００８５】
また、ステップＳ１５にて入力された操作が画面切り替えボタンＢ３２である場合は（Ｓ１５、画面切り替えボタン）、ステップＳ２０に進む。
【００８６】
ステップＳ２０では、動作設定画面（１）の呼出ルーチンの実行指示を行った上で、本ルーチンを終了する。ステップＳ２０を経て本ルーチンが終了した場合は、後述のカスタムアクション設定ルーチン（３）が引き続いて実行される。
【００８７】
以上のように、本ルーチンが実行されることによって、初期状態及び最終状態の操作パラメータ及びアクションの実行に要される時間を変更することができる。
【００８８】
次に、上記カスタムアクション設定ルーチン（２）について説明する。図１４は、カスタムアクション設定ルーチン（２）のフローチャートである。本ルーチンは、図７の端点設定画面（１）において、手動操作ボタンＢ３１が操作された場合にデジタルカメラ１のコントローラ１１１によって実行されるようになっている。
【００８９】
本ルーチンが開始すると、ステップＳ３１が実行される。ステップＳ３１では、コントローラ１１１は、レンズユニット２００の焦点位置調節リング２１１、ズーム調節リング２１２及び絞り調節リング２１３の設定値が図１３のカスタムアクション設定ルーチン（１）のステップＳ１８でコントローラ１１１のメモリに記憶された値となるよう、各リング２１１〜２１３を移動させる。次いでステップＳ３３に進む。
【００９０】
ステップＳ３３では、コントローラ１１１は、図８の端点設定画面（２）をタッチパネルモニタ１４１に表示させる。なお、端点設定画面（２）のスライダＬＢの設定されている操作パラメータの値は、図１３のカスタムアクション設定ルーチン（１）のステップＳ１８でコントローラ１１１のメモリに記憶された初期状態の操作パラメータの値が使用される。次いで、ステップＳ３４に進む。
【００９１】
ステップＳ３４では、一定時間（０．１秒程度）待機する。なお、ステップＳ３４による待機が行われている間は、リング２１１〜２１３及びスライダＬＡの操作による操作パラメータの変化が、逐次記録されるようになっている。次いで、ステップＳ３５に進む。
【００９２】
ステップＳ３５では、ステップＳ３４にて記録された操作パラメータの変化値に基づいて、経時変化データを更新する。また、この時に、スライダＬＡの表示内容も、変化後の操作パラメータの値に変更する。次いで、ステップＳ３６に進む。
【００９３】
ステップＳ３６では、ステップＳ３４が実行されている間に停止ボタンＢ３５が操作されたかどうかの確認が行われる。停止ボタンＢ３５が操作されたのであれば（Ｓ３６：ＹＥＳ）、ステップＳ３７に進む。一方、停止ボタンＢ３５がまだ操作されていないのであれば（Ｓ３６：ＮＯ）、ステップＳ３４に戻る。
【００９４】
このように、ステップＳ３４〜Ｓ３６のループを繰り返すことによって、経時変化データ（すなわち、リング２１１〜２１３及びスライダＬＡの操作による操作パラメータの変化）が記録されるようになっている。
【００９５】
ステップＳ３７では、図７の端点設定画面（１）の呼出ルーチンの実行指示を行った上で、本ルーチンを終了する。本ルーチンが終了した場合は、カスタムアクション設定ルーチン（１）が再び最初のステップＳ１１から実行される。
【００９６】
次に、カスタムアクション設定ルーチン（３）について説明する。図１５は、カスタムアクション設定ルーチン（３）のフローチャートである。本ルーチンは、図７の端点設定画面（１）において、画面切り替えボタンＢ３２が操作されるか、図１１の動画設定画面（２）の終了ボタンＢ５１が操作された場合にデジタルカメラ１のコントローラ１１１によって実行されるようになっている。
【００９７】
本ルーチンが開始すると、ステップＳ４２が実行される。ステップＳ４２では、コントローラ１１１は、図１０の動作設定画面（１）又は図１１の動作設定画面（２）をタッチパネルモニタ１４１に表示させる。次いで、ステップＳ４３に進む。
【００９８】
ステップＳ４３では、コントローラ１１１は、メモリに記憶されている経時変化データから、操作パラメータの経時変化を示す線図が表示されるグラフＧを生成し、このグラフＧをタッチパネルモニタ１４１に表示させる。次いでステップＳ４４に進む。
【００９９】
ステップＳ４４では、操作パラメータの経時変化データを理想化する必要があるかどうかの判定を行う。すなわち、操作パラメータの経時変化データが、図９又は図１０の手動操作にて入力されたものである場合は、経時変化データの理想化が必要と判断し（Ｓ４５：ＹＥＳ）、ステップＳ４５に進む。一方、経時変化データが、図９又は図１０の手動操作を行うことなく得られたものである場合は、経時変化データの理想化は不要と判断し（Ｓ４４：ＮＯ）、ステップＳ４６に進む。
【０１００】
ステップＳ４５では、コントローラ１１１は、メモリに記憶された経時変化データから、理想化された経時変化データを生成し、これをメモリに記憶させると共に、理想化された操作パラメータの経時変化を示す線図をグラフＧに重畳描画する。次いでステップＳ４６に進む。
【０１０１】
ステップＳ４６では、タッチパネル１４１の入力操作を受け付ける。
【０１０２】
ステップＳ４６にて受け付けられた操作がグラフＧのドラッグ操作である場合は（Ｓ４６：グラフのドラッグ）、ステップＳ４７に進む。
【０１０３】
ステップＳ４７では、上記ドラッグ操作に基づいて、経時変化データ（理想化された経時変化データがある場合は、理想化された経時変化データ）の内容を変更する。次いでステップＳ４８に進む。
【０１０４】
ステップＳ４８では、ステップＳ４７で変更された経時変化データに基づいてグラフＧの再描画を行う。次いでステップＳ４６に戻り、別の入力を受け付ける。
【０１０５】
また、ステップＳ４６にて受け付けられた操作が手動操作ボタンＢ４１の操作である場合は（Ｓ４６：手動操作ボタン）、ステップＳ５０に進む。
【０１０６】
ステップＳ５０では、コントローラ１１１は、経時変化データの操作パラメータの初期状態の値をメモリに記憶させた後、図１１の動作設定画面（２）の呼出ルーチンの実行指示を行った上で、本ルーチンを終了する。本ルーチンがステップＳ５０を経て終了した場合は、後述するカスタムアクション設定ルーチン（４）が実行される。
【０１０７】
また、ステップＳ４６にて受け付けられた操作が完了ボタンＢ４３の操作である場合は（Ｓ４６：完了ボタン）、ステップＳ５１に進む。
【０１０８】
ステップＳ５１では、上記経時変化データに基づいて撮影を行うための撮影画面の呼出ルーチンの実行指示を行った上で、本ルーチンを終了する。ステップＳ５１を経て本ルーチンが終了した場合は、引き続いて上記撮影画面が表示されることになり、レリーズスイッチ１３２を押下することにより、上記経時変化データに基づいた撮影が開始される。なお、上記経時変化データに基づいてプリセットアクションの撮影が完了すると、コントローラ１１１のメモリに記憶された経時変化データは消去されるようになっているが、経時変化データを保持し、同一の経時変化データで繰り返し撮影可能に構成することも可能である。その場合には、例えば、プリセットアクションの撮影を終了するためのボタンを上記撮影画面中に表示する。
【０１０９】
また、ステップＳ４６にて受け付けられた操作が画面切り替えボタンＢ４２の操作である場合は（Ｓ４６：画面切り替えボタン）、ステップＳ５２に進む。
【０１１０】
ステップＳ５２では、端点設定画面（１）の呼出を行うルーチン（カスタムアクション設定ルーチン（１））の実行指示を行った上で、本ルーチンを終了する。ステップＳ２０を経て本ルーチンが終了した場合は、図１３に示すカスタムアクション設定ルーチン（１）が引き続いて実行される。
【０１１１】
以上のように、本ルーチンが実行されることにより、ドラッグ操作にて操作パラメータの経時変化データを調整することができる。
【０１１２】
次に、上記カスタムアクション設定ルーチン（４）について説明する。図１６は、カスタムアクション設定ルーチン（４）のフローチャートである。本ルーチンは、図９又は図１０の端点設定画面（１）において、手動操作ボタンＢ４１が操作された場合にデジタルカメラ１のコントローラ１１１によって実行されるようになっている。
【０１１３】
本ルーチンが開始すると、ステップＳ６１が実行される。ステップＳ６１では、コントローラ１１１は、レンズユニット２００の焦点位置調節リング２１１、ズーム調節リング２１２及び絞り調節リング２１３の設定値が図１５のカスタムアクション設定ルーチン（３）のステップＳ５０でコントローラ１１１のメモリに記憶された値となるよう、各リング２１１〜２１３を移動させる。次いでステップＳ６３に進む。
【０１１４】
ステップＳ６３では、コントローラ１１１は、図１１の動作設定画面（２）をタッチパネルモニタ１４１に表示させる。なお、動作設定画面（２）のグラフＧ及びスライダＬ５２、Ｌ５３の各操作パラメータの初期値は、カスタムアクション設定ルーチン（３）のステップＳ５０でコントローラ１１１のメモリに記憶された初期状態の操作パラメータの値が使用される。次いで、ステップＳ６４に進む。
【０１１５】
ステップＳ６４では、一定時間（０．１秒程度）待機する。なお、ステップＳ６４による待機が行われている間は、リング２１１〜２１３及びスライダＬ５２、Ｌ５３の操作による操作パラメータの変化は、逐次記録されるようになっている。次いで、ステップＳ６５に進む。
【０１１６】
ステップＳ６５では、ステップＳ６４にて記録された操作パラメータの変化値に基づいて、経時変化データを更新する。また、この時に、スライダＬ５２、Ｌ５３及びグラフＧの表示内容も、変化後の操作パラメータの値に変更する。次いで、ステップＳ６６に進む。
【０１１７】
ステップＳ６６では、ステップＳ６４が実行されている間に停止ボタンＢ５１が操作されたかどうかの確認が行われる。停止ボタンＢ５１が操作されたのであれば（Ｓ６６：ＹＥＳ）、ステップＳ６７に進む。一方、停止ボタンＢ５１がまだ操作されていないのであれば（Ｓ６６：ＮＯ）、ステップＳ６４に戻る。
【０１１８】
このように、ステップＳ６４〜Ｓ６６のループを繰り返すことによって、経時変化データ（すなわち、リング２１１〜２１３及びスライダＬ５２、Ｌ５３の操作による操作パラメータの変化）が記録されるようになっている。
【０１１９】
ステップＳ６６では、図９又は図１０の動作設定画面（１）の呼出ルーチンの実行指示を行った上で、本ルーチンを終了する。本ルーチンが終了した場合は、カスタムアクション設定ルーチン（３）が再び最初のステップＳ４２から実行される。
【０１２０】
以上のように、図１２〜図１６のルーチンが実行されることにより、上記説明されたデジタルカメラ１の各種機能が実現されるようになっている。
【０１２１】
なお、本実施形態においては、端点設定画面（１）及び（２）並びに動画設定画面（１）及び（２）において、撮像センサ１２１の感度を調整するようになっているが、本発明は上記構成に限定されるものではなく、撮像センサ１２１の感度の代わりに、絞り値を変化させることなく画像の明るさを変更する他の撮影パラメータ、例えば画像処理時の輝度値やシャッター速度を調整可能な構成としてもよい。
【符号の説明】
【０１２２】
１                  デジタルカメラ
１００                  カメラ本体
１０１                  ケース
１１１                  コントローラ
１２１                  撮像センサ
１４１                  タッチパネルモニタ
１５１                  メモリカードアダプタ
２００                  レンズユニット
２０１                  鏡筒
２１１                  焦点位置調節リング
２１２                  ズーム調節リング
２１３                  絞り調節リング
２２１、２２２、２２３  ステッピングモータ
【図１】
0005598759.tif 000003
【図２】
0005598759.tif 000004
【図３】
0005598759.tif 000005
【図７】
0005598759.tif 000006
【図８】
0005598759.tif 000007
【図９】
0005598759.tif 000008
【図１０】
0005598759.tif 000009
【図１１】
0005598759.tif 000010
【図１２】
0005598759.tif 000011
【図１３】
0005598759.tif 000012
【図１４】
0005598759.tif 000013
【図１５】
0005598759.tif 000014
【図１６】
0005598759.tif 000015
【図４】
0005598759.tif 000016
【図５】
0005598759.tif 000017
【図６】
0005598759.tif 000018